(57)【要約】【課題】工具を使わずワンタッチで肩のせタイプのカメラのショルダーパッド位置を調整する。【解決手段】ショルダーパッド１１と、ボトムロック部材４５を備えておりショルダーパッド１１がスライド可能に取り付けられたボトムケース４１と、ショルダーパッド１１上にそのスライド方向と直交する方向にスライド可能に取り付けられておりボトムロック部材４５と係合するショルダーロック部材２２を備えた解除レバー２１とを有し、ボトムロック部材４５とショルダーロック部材２２とが係合するように解除レバー２１を移動させることによりボトムケース４１に対してショルダーパッド１１の位置を固定する構成とした。【選択図】  図４
2004172914.tif 000002
【特許請求の範囲】
【請求項１】
少なくとも１つのガイド手段が設けられたショルダーパッドと、
第１のロック部材を備え、前記ショルダーパッドが前記ガイド手段によってスライド可能に取り付けられた被固定体と、
前記ショルダーパッド上に前記ショルダーパッドのスライド方向と直交する方向にスライド可能に取り付けられ、第１のロック部材と係合する第２のロック部材を備えたレバーとを有し、
前記第１のロック部材と前記第２のロック部材とが係合するように前記レバーを移動させることにより前記被固定体に対して前記ショルダーパッドの位置を固定する、ショルダーパッド位置調整装置。
【請求項２】
弾性部材をさらに有し、
前記弾性部材は一端が前記レバーに結合されると共に他の一端が前記ショルダーパッドに結合され、
前記レバーは、前記第１のロック部材と前記第２のロック部材とが係合し合う方向に常に付勢される、請求項１記載のショルダーパッド位置調整装置。
【請求項３】
前記第１のロック部材及び前記第２のロック部材は少なくとも一辺が歯型形状であり、互いの歯型形状が噛み合うことにより前記筐体に対するショルダーパッドの位置を固定する、請求項１または２記載のショルダーパッド位置調整装置。
【発明の詳細な説明】
【０００１】
【発明の属する技術分野】
本発明は、ハンディ肩のせタイプのカメラ及びカメラレコーダに関し、ショルダーパッドの位置調整装置に関する。
【０００２】
【従来の技術】
近年、カメラ機器本体は小型・軽量化が進み、またカメラ機器に装着するレンズやバッテリは様々な大きさ、重さのものが開発されており、それらの組み合わせにより、カメラ機器全体の重心位置が大きく変化するようになってきている。そのため、肩のせタイプのカメラにおいては、ショルダーパッドの位置をカメラの重心位置に合わせて調整するための装置が考案されている。
【０００３】
以下に従来のショルダーパッド位置調整装置について説明する。図６は従来のショルダーパッド位置調整装置の側面図、図７は同底面図を示すものである。ショルダーパッド１にはインサート金具１ａが一体成形されており、また、インサート金具１ａには、長孔１ｂが２ヶ所設けられている。一方、カメラ筐体２の底面側にはショルダーパッド１が装着可能なように凹部２ａが設けられており、その凹部２ａの表面には、インサート金具長孔１ａのピッチに対応した間隔でボス２ｂが２本成形されている。ショルダーパッド１は、ショルダーパッド１に一体成形されたインサート金具１ａの長孔１ｂ部分を利用して、底面側よりネジ３によりカメラ筐体２の凹部２ａに装着される。
【０００４】
以上のように構成されたショルダーパッド位置調整装置において、位置調整のための動作を説明する。まず、カメラ機器底面側のネジ３（２本）を工具により緩めることにより、ショルダーパッド１は前後方向に移動可能となる。次に、カメラ筐体凹部２ａの範囲内で、ショルダーパッド１の位置を決め、緩めたネジ３（２本）を締め付ける。以上の動作により、ショルダーパッド１の前後方向の位置を決定することができる（例えば、特許文献１参照。）。
【０００５】
【特許文献１】
特開平０８−９８０７２号公報
【０００６】
【発明が解決しようとする課題】
しかしながら、上記従来の構成ではショルダーパッドは完全にネジ止めされているため、その位置を調整するためにはドライバーなどの工具を必要となる。このため時間と手間がかかり、また、工具を持ち合わせていなければ調整自体ができないため、カメラマンが急遽交代したりレンズ交換等によって重心位置が移動した場合に、担ぎにくい位置での撮影を余儀なくされるなどの問題を有していた。
【０００７】
本発明は上記従来の課題を解決するもので、即座に、しかも工具を使わずにワンタッチでショルダーパッドの位置を調整することのできるショルダーパッド位置調整装置を提供することを目的とする。
【０００８】
【課題を解決するための手段】
上記目的を達成するために本発明のショルダーパッド位置調整装置は、ショルダーパッドと形状的に一体となるように組み込まれ、かつ支軸に対して移動可能な長孔を有するプレートと、前記プレートをカメラ筐体に対して保持し、かつ前記長孔の範囲内で移動可能にするための段付ネジと、カメラ筐体に対するショルダーパッドの位置を規制するためのロック部材と、その規制された位置を変えるためにロック部材を動かし解除するためのレバーとを備えた構成としている。
【０００９】
この構成によって、解除レバーを押すことによりロックが解除されるため、ショルダーパッドはプレートの長孔の範囲内で、前後方向に移動可能となる。また、目的のロック位置でレバーを放せば、その位置で固定可能となる。したがって、レバーを押しながらショルダーパッドを移動させた後、レバーを放すことで位置調整が完了する。
【００１０】
【発明の実施の形態】
図１は本発明の実施例におけるショルダーパッド位置調整装置の断面図、図２は同ショルダーパッドの斜視図、図３は解除レバーの平面図、図４は解除レバーの組み込まれたショルダーパッドの斜視図、図５はカメラのボトムケースの斜視図（カメラを下から見上げた状態）を示すものである。
【００１１】
ショルダーパッド１１にはインサート金具１２が一体成形されている。インサート金具１２には、前後移動用の長孔１３が２ヶ所一直線上に設けられている。さらに、インサート金具１２には、前後方向と直交する方向（以後横方向とする）に長孔１４が３ヶ所設けられている。また、３ヶ所の長孔１４の近傍には、直角曲げにより孔１５を有する小突起形状１６が形成されている。インサート金具１２の長孔１３、１４が配置された十字型の部分は、ショルダーパッドの天面側から露出している。また、各長孔の周囲はショルダーパッドの底面側に対して露出している。解除レバー２１にはショルダーロック部材２２がネジにより固定されており、両者は一体となって動作する。ショルダーロック部材２２は、解除レバー２１中央寄りの一辺が歯型形状をなしている。また、解除レバー２１には前記インサート金具の３ヶ所の長孔１４に対応したネジ孔２３が設けられている。この３ヶ所のネジ孔２３の近傍には、直角曲げにより小さなＴ字型の突起形状２４が形成されている。さらに解除レバー２１には、その一端を直角に曲げた平面部を有するツマミ２５が設けられており、裏側平面部には、解除レバー２１とインサート金具１２との間の摩擦を軽減するための摺動シート２６が貼られている。図１及び図４のように、解除レバー２１は、インサート金具１２の上に段付ネジ３１（３本）により保持される。そして、引張コイルバネ３２は、その一端がＴ字型の突起形状２４に引っかけられ、他端はインサート金具１２の小突起形状の孔１５に引っかけられている。引張コイルバネ３２の弾性力により、解除レバー２１はロック方向３３へ常に付勢されている。したがって、解除レバー２１は、インサート金具１２と平行な水平面内で、長穴１４に沿って滑らかに移動可能であり、カメラ本体の側面方向から操作可能になっている。
【００１２】
一方、カメラ筐体側のボトムケース４１には、底面側にショルダーパッドが装着可能なように凹部４２が設けられており、その凹部４２の表面には、ショルダーパッド１１に一体成形されたインサート金具１２を保持するためのボス４３（２本）と、ボトムロック部材４５を取り付けるための、ボス４４（３本）が成形されている。このボトムロック部材４５は、ショルダーロック部材２２と同様一辺が歯型形状をなしており、互いに複数の位置で、係合しあうことができる。そして、解除レバー２１を取付られたショルダーパッド１１は、インサート金具１２の２ヶ所の長孔１３部分で、ボトムケース４１のボス４３（２本）に、底面側から段付ネジ３１（２本）で固定される。
【００１３】
以上のように構成されたショルダーパッドについて、以下その動作を説明する。まず、ショルダーパッド１１側面に配置されている解除レバー２１のツマミ２６を押すことにより、解除レバー２１が長穴１４に沿って移動し、ボトムロック部材４５とショルダーロック部材２２との係合が解除される。次に、ツマミ２６を押した状態で、即ち解除レバー２１を移動させてふたつのロック部材の係合を解除した状態で、ショルダーパッド１１をインサート金具１２の長孔１３の範囲内で前後方向に移動させ、目的のロック位置で解除レバー２１のツマミ２６を放せば、その位置で再びボトムロック部材４５とショルダーロック部材２２とが係合しあい、ショルダーパッド１１をカメラ筐体のボトムケース４１に対して固定することができる。
【００１４】
なお、本実施の形態では、前後移動用の長孔１３は、設置スペースや取り付け強度、耐久性等の点から２ヶ所一直線上に設けているが、長穴１３は必ずしも一直線上に設ける必要はなく、また、２ヵ所ではなく、例えば１ヵ所や３ヶ所、あるいはそれ以上でも構わない。これは解除レバー移動用の長穴１４についても同様である。
【００１５】
また、本実施の形態では、ショルダーパッド１１の前後位置を調整するための構成としたが、左右方向や上下方向に調整するための構成としても構わない。また、本発明の調整装置を複数組み合わせて複数の方向、例えば前後及び左右に調整可能な構成としてもよい。
【００１６】
また、本実施の形態では解除レバー２１とインサート金具１２との間の摩擦を軽減するために、解除レバー２１の裏側、すなわちインサート金具１２と接触する側に摺動シート２６を貼り付けているが、摺動シート２６は、インサート金具１２側に貼り付けてもよい。
【００１７】
また、ショルダーパッド１１とボトムケース４１との摩擦力を所定の値に設定することにより、カメラを肩に担いだ状態でショルダーパッドの位置調整を容易に行えるようにすることができる。即ち、カメラを肩に担いだ状態では、ショルダーパッド１１とボトムケース４１が互いに押圧し合っており摩擦力が発生している。この状態で解除レバー１２を解除してカメラを前後方向に傾斜させると、摩擦力により、ショルダーパッド１１がゆっくりとボトムケース４１に対して移動する。こうして、適切な位置までショルダーパッド１１が移動したところで解除レバー１２を放せば、ショルダーパッド１１はその位置で固定される。ショルダーパッド１１とボトムケース４１との間の摩擦力の調整は、互いに接触する面の表面加工による方法や、間に摩擦係数を調整するための部材を挟みこむ方法が考えられる。
【００１８】
【発明の効果】
以上のように本発明は、即座に、しかも工具を使わずにワンタッチでショルダーパッドの前後位置を調整することのできる優れたショルダーパッド位置調整装置を実現できるものである。
【図面の簡単な説明】
【図１】本発明の実施例におけるショルダーパッド位置調整装置の断面図
【図２】同ショルダーパッドの斜視図
【図３】同解除レバーの斜視図
【図４】同解除レバーの組み込まれたショルダーパッドの斜視図
【図５】同ボトムケースの裏面側から見た斜視図
【図６】従来のショルダーパッド位置調整装置の側面図
【図７】従来のショルダーパッド位置調整装置の底面図
【符号の説明】
１１・・・ショルダーパッド
１２・・・インサート金具
１３・・・前後方向の長穴
１４・・・横方向の長穴
１６・・・小突起形状
２１・・・解除レバー
２２・・・ショルダーロック部材
２４・・・突起形状
２５・・・ツマミ
２６・・・摺動シート
３１・・・段付ネジ
３２・・・引張コイルバネ
４１・・・ボトムケース
４２・・・凹部
４５・・・ボトムロック部材
【図１】
2004172914.tif 000003
【図２】
2004172914.tif 000004
【図３】
2004172914.tif 000005
【図４】
2004172914.tif 000006
【図５】
2004172914.tif 000007
【図６】
2004172914.tif 000008
【図７】
2004172914.tif 000009